(57)【要約】【課題】  筒体から吐出される水とは異なる方向へ水が飛散することや、開口部から水が垂れることを抑制することが可能な吐水装置を提供することを目的とする。【解決手段】  水が流入する流入室の内部と外部とを連通する開口部を有するガイド部材と、小径部と小径部より大径な大径部とを有し、小径部の少なくとも一部は開口部に設け、大径部は流入室に少なくとも一部が収容され、流入室に流入した水を小径部の先端から流出可能なように構成されてなる筒体とを備え、筒体は流入室へ流入した水により、少なくとも小径部に設けられた筒体側接触部が開口部のガイド部材側接触部に接触された状態で流入室の中心軸に対して傾きながら流入室の中心軸回りに首振り公転し且つ自身の中心軸回りに自転するように構成され、筒体側接触部は凹状及び凸状の内の一方のアール形状の曲面であり、ガイド部材側接触部は他方のアール形状の曲面である吐水装置である。【選択図】  図３
2015144747.tif 000002
【特許請求の範囲】
【請求項１】
吐水方向を変化させながら吐水を行うことが可能な吐水装置であって、
水が流入する流入室と、
この流入室の内部と前記流入室の外部とを連通する開口部を有するガイド部材と、
前記開口部より小径な小径部とこの小径部より大径な大径部とを有し、前記小径部の少なくとも一部は前記開口部に設ける一方で、前記大径部は前記流入室の内部に少なくとも一部が収容され、前記流入室に流入した水を前記小径部の先端から流出可能なように構成されてなる筒体と、を備え、
前記筒体は、前記流入室へ流入した水により、少なくとも前記小径部に設けられた筒体側接触部が前記開口部のガイド部材側接触部に接触された状態で前記流入室の中心軸に対して傾きながら前記流入室の中心軸回りに首振り公転し、且つ自身の中心軸回りに自転するように構成され、
前記筒体側接触部は、凹状及び凸状の内の一方のアール形状の曲面であり、前記ガイド部材側接触部は、他方のアール形状の曲面である吐水装置。
【請求項２】
前記筒体側接触部は、凹状のアール形状の曲面であり、前記ガイド部材側接触部は、凸状のアール形状の曲面である請求項１に記載の吐水装置。
【請求項３】
前記開口部の前記ガイド部材側接触部には、下流側へ向けて径が拡大する段差部が設けられている請求項１又は２に記載の吐水装置。
【発明の詳細な説明】
【技術分野】
【０００１】
本発明は、吐水方向を変化させながら吐水を行うことが可能な吐水装置に関する。
【背景技術】
【０００２】
従来、吐水方向を変化させながら吐水を行うことが可能な吐水装置が知られている（例えば、特許文献１参照）。この吐水装置は、水を吐出する筒体が、旋回流によって旋回流の旋回方向回りに首振り公転するとともに、自身の中心軸回りに自転することで吐水方向を変化させるものである。具体的には、その内部に水が流入する流入室が形成されるガイド部材に筒体が組み込まれ、流入室の内部と外部とを連通する開口部に対して筒体の一部が接触した状態で、筒体が流入室の中心軸に対して傾きながら流入室の中心軸回りに首振り公転するとともに、自身の中心軸回りに自転する。
【先行技術文献】
【特許文献】
【０００３】
【特許文献１】特許第５１４１９９８号公報
【発明の概要】
【発明が解決しようとする課題】
【０００４】
上述した吐水装置は、筒体と開口部との間には隙間が形成されるため、筒体が円滑に自転及び公転するためには、筒体と開口部とは摩擦抵抗が極力無いように当接することが好ましい。そのため、通常、筒体と開口部との間の隙間には、流入室内の水が供給され続けるように構成されている。この筒体と開口部との間の隙間に供給される水は、その供給量が多くなるにつれ、筒体の自転及び公転による遠心力により、筒体から吐出される水とは異なる方向へと飛散してしまうという懸念がある。この場合、吐出先(例えば、使用者等)に対する使用感や、吐出の美観が損なわれるという問題がある。また、筒体と開口部との間の隙間に供給される水は、その供給量が多くなるにつれ、開口部の内壁を伝って外部へと水が垂れてしまうという懸念がある。この場合、吐水装置の品位が損なわれるという問題があった。
【０００５】
本発明は、上述した問題を解決するためになされたものであり、筒体から吐出される水とは異なる方向へと水が飛散することや、開口部から水が垂れてしまうことを抑制することが可能な吐水装置を提供することを目的とする。
【課題を解決するための手段】
【０００６】
本発明は、吐水方向を変化させながら吐水を行うことが可能な吐水装置であって、水が流入する流入室と、この流入室の内部と前記流入室の外部とを連通する開口部を有するガイド部材と、前記開口部より小径な小径部とこの小径部より大径な大径部とを有し、前記小径部の少なくとも一部は前記開口部に設ける一方で、前記大径部は前記流入室の内部に少なくとも一部が収容され、前記流入室に流入した水を前記小径部の先端から流出可能なように構成されてなる筒体と、を備え、前記筒体は、前記流入室へ流入した水により、少なくとも前記小径部に設けられた筒体側接触部が前記開口部のガイド部材側接触部に接触された状態で前記流入室の中心軸に対して傾きながら前記流入室の中心軸回りに首振り公転し、且つ自身の中心軸回りに自転するように構成され、前記筒体側接触部は、凹状及び凸状の内の一方のアール形状の曲面であり、前記ガイド部材側接触部は、他方のアール形状の曲面である吐水装置である。
【０００７】
このように構成された本発明においては、筒体側接触部は、凹状及び凸状の内の一方のアール形状の曲面であり、ガイド部材側接触部は、他方のアール形状の曲面である。そのため、例えば、筒体側接触部が凸状のアール状の曲面でガイド部材側接触部がテーパ形状の平面である場合や、筒体側接触部及びガイド部材側接触部が凸状のアール状の曲面である場合等に比べて、筒体側接触部とガイド部材側接触部との間の隙間の大きさを抑えることができる。従って、筒体側接触部とガイド部材側接触部との間に供給される水の量が抑えられ、その水は筒体から吐出される水に巻き込まれやすくなるため、筒体から吐出される水とは異なる方向へと水が飛散することや、開口部から水が垂れてしまうことを抑制することができる。
【０００８】
本発明は、さらに、前記筒体側接触部は、凹状のアール形状の曲面であり、前記ガイド部材側接触部は、凸状のアール形状の曲面である構成としてもよい。
【０００９】
このように構成された本発明においては、筒体側接触部は凸状のアール形状の曲面であり、ガイド部材側接触部は凹状のアール形状の曲面である場合に比べて、筒体側接触部とガイド部材側接触部との間に供給される水が、筒体の小径部に衝突することを抑えることができる。そのため、筒体側接触部とガイド部材側接触部との間に供給される水が、筒体の小径部に衝突し筒体の中心軸から離間する方向へと向かうことが抑制される。従って、筒体側接触部とガイド部材側接触部との間に供給される水が、筒体から吐出される水とは異なる方向へと飛散することや、開口部から垂れてしまうことをより抑制することができる。
【００１０】
本発明は、さらに、前記開口部の前記ガイド部材側接触部には、下流側へ向けて径が拡大する段差部が設けられている構成としてもよい。
【００１１】
このように構成された本発明においては、段差部を設けることで、開口部の内壁に水が着水しにくくなるため、筒体側接触部とガイド部材側接触部との間に供給される水が、開口部から垂れてしまうことをより確実に抑制することができる。
【発明の効果】
【００１２】
本発明の吐水装置によれば、筒体から吐出される水とは異なる方向へと水が飛散することや、開口部から水が垂れてしまうことを抑制することが可能となる。
【図面の簡単な説明】
【００１３】
【図１】本発明の一実施形態によるハンドシャワーヘッドの外観を示す斜視図。
【図２】本発明の一実施形態によるハンドシャワーヘッドの断面図。
【図３】本発明の一実施形態による回転ノズル及びガイド部材の断面図。
【図４】図３のＡ領域を示す部分拡大図。
【発明を実施するための形態】
【００１４】
次に、図１を参照して、本発明の一実施形態によるハンドシャワーヘッドの構成を説明する。図１は本発明の一実施形態によるハンドシャワーヘッドの外観を示す斜視図である。
【００１５】
図１に示すように、本実施形態のハンドシャワーヘッド１（吐水装置）は、シャワーヘッド本体２と、このシャワーヘッド本体２の先端部に取り付けられた散水板４と、３つの吐水モードを切り換える操作部６とを有する。
【００１６】
シャワーヘッド本体２は、使用者が把持する把持部２ａと、この把持部２ａの先端側に設けられ、把持部２ａよりも太くなった散水部２ｂとを有する。また、散水部２ｂには、散水板４が取り付けられる円形の開口部２ｃが形成されている。また、シャワーヘッド本体２の基端側には、シャワーホース（図示せず）が接続される。
【００１７】
散水板４は、略円形の板であり、その中央部には散水ノズルが回転しながら吐水を行うジャイロビート吐水用の散水孔４ａが設けられ、散水孔４ａの周囲にはスプレー吐水用の多数の散水孔４ｂが設けられ、シャワーヘッド本体２の先端側には、滝状吐水用の円弧状の散水孔４ｃが設けられている。
【００１８】
操作部６は、シャワーヘッド本体２の把持部２ａの開口部２ｃ側に配置された円形のツマミである。操作部６は、円板状の円板部６ａ及びその直径に沿って設けられた直線状の指かけ凸部６ｂを備えており、指かけ凸部６ｂは散水部２ｂから把持部２ａに向けて高さが高くなるように形成されている。この操作部６を、円板部６ａの中心軸線を中心に各方向に回動させることにより、シャワーヘッド本体２に内蔵された水路切換装置が作動され、複数の吐水モードが切り換えられるようになっている。図１に示すように、指かけ凸部６ｂを散水部２ｂに向けた状態では、スプレー吐水モードが選択される。また、図１に示す状態から、操作部６を右へ９０°回動させるとジャイロビート吐水が選択され、操作部６を左へ９０°回動させると滝状吐水が選択される。なお、ハンドシャワーヘッド１においては、常に何れかの吐水モードが選択され、全ての弁が同時に閉鎖されることはない。
【００１９】
次に、図２を参照して本発明の一実施形態によるハンドシャワーヘッドの内部構造を説明する。図２は本発明の一実施形態によるハンドシャワーヘッドの断面図である。
【００２０】
図２に示すように、シャワーヘッド本体２には、通水路形成部材８と、この通水路形成部材８の先端部に接続された水路切換装置１０と、この水路切換装置１０の先端部に取り付けられた第１散水室形成部材１２とが内蔵されている。さらに、シャワーヘッド本体２には、第１散水室形成部材１２を覆うように取り付けられた第２散水室形成部材１４と、散水板４の背面側に配置された第３散水室形成部材１６と、この第３散水室形成部材１６の背面側に配置された散水ノズル形成部材１８とが内蔵されている。また、シャワーヘッド本体２には、ジャイロビート吐水を行うための回転ノズル２０（筒体）と、この回転ノズル２０を支持するガイド部材２２とが内蔵されている。
【００２１】
通水路形成部材８は、細長い筒状の部材であり、その基端部には、シャワーホース（図示せず）に接続される接続部８ａが形成されている。また、第１通水路形成部材８の先端部８ｂには、水路切換装置１０が接続されている。通水路形成部材８と水路切換装置１０との間にはＯリングが配置され、これらの間の水密性が確保されている。
【００２２】
第１散水室形成部材１２は、水路切換装置１０の先端側（下流側）に接続される箱状の部材であり、散水板４の背面側に内蔵されている。第１散水室形成部材１２と水路切換装置１０の間にはＯリングが配置され、これらの部材の間の水密性が確保されている。第１散水室形成部材１２の内部には第１水路１２ａ、第２水路１２ｂ、及び第３水路１２ｃが形成されている。水路切換装置１０から流出した湯水は、これらの第１水路１２ａ、第２水路１２ｂ、及び第３水路１２ｃを通って、スプレー吐水用の散水孔４ｂ、ジャイロビート吐水用の散水孔４ａ、滝状吐水用の散水孔４ｃに夫々導かれるようになっている。また、第１散水室形成部材１２の散水板４側は開放されており、この開放部を覆うように第２散水室形成部材１４が取り付けられている。
【００２３】
第２散水室形成部材１４は、第１散水室形成部材１２の開放部を覆うように配置される略円板状の部材である。第２散水室形成部材１４の中央には、第２水路１２ｂと連通するように凹部１４ａが設けられ、この凹部１４ａの中にジャイロビート吐水用の回転ノズル２０が回転可能に配置される。また、第２散水室形成部材１４には、第１水路１２ａと連通するように貫通穴１４ｂが設けられており、この貫通穴１４ｂを通った湯水がスプレー吐水用の散水孔４ｂから吐出される。さらに、第２散水室形成部材１４には、第３水路１２ｃと連通するように貫通穴１４ｃが設けられており、この貫通穴１４ｃを通った湯水が滝状吐水用の散水孔４ｃから吐出される。
【００２４】
第３散水室形成部材１６は、散水板４の背面側に重なるように配置される略円板状の部材である。この第３散水室形成部材１６の背面側と、第２散水室形成部材１４の正面側との間の空間が、スプレー吐水用の散水室を形成する。
【００２５】
散水ノズル形成部材１８は、ゴム製の略円板状の部材であり、第２散水室形成部材１４と第３散水室形成部材１６の間に配置される。散水ノズル形成部材１８には多数のスプレー吐水用の散水ノズル１８ａが設けられている。これらの散水ノズル１８ａは、散水板４に設けられた多数の散水孔４ｂ、及びこれらの散水孔４ｂと夫々整合するように第３散水室形成部材１６に設けられた多数の孔を通ってハンドシャワーヘッド１の外部に突出している。また、散水ノズル形成部材１８には、ハンドシャワーヘッド１の先端側に位置するように、滝状吐水用の散水ノズル１８ｂが設けられている。この散水ノズル１８ｂは、散水板４に設けられた円弧状の散水孔４ｃ、及びこの散水孔４ｃと整合するように第３散水室形成部材１６に設けられた円弧状の孔を通ってハンドシャワーヘッド１の外部に突出している。なお、散水ノズル形成部材１８はゴム製であるため、第２散水室形成部材１４の縁部１４ｄに押し付けられることにより、それらの間の水密性が確保される。
【００２６】
次に、図３及び図４を参照して本発明の一実施形態による回転ノズル及びガイド部材の構造を説明する。図３は本発明の一実施形態による回転ノズル及びガイド部材を示す断面図であり、図４は図３のＡ領域を示す部分拡大図である。
【００２７】
図３に示すように、ガイド部材２２は略円筒状の部材であり、流入孔２２０と、流入孔２２０の下流側に設けられる開口部２２１と、この開口部２２１の下流端部からガイド部材２２の中心軸とは離隔する方向に向けて延びるフランジ部２２４とを有する。
【００２８】
流入孔２２０には第２水路１２ｂの下流側端部が連通し、第２水路１２ｂから供給された水をその内部に流入させる。開口部２２１は流入孔２２０と連通し、その下流側は散水孔４ａに連通している。また、開口部２２１の上流側端部には回転ノズル２０と接触するガイド部材側接触部２２６を有する。
【００２９】
回転ノズル２０は、小径部２０１とそれよりも径の大きい大径部２０２とを有する略円筒状に形成され、ガイド部材２２に回転及び揺動可能に支持されている。大径部２０２の上流側端部は第２水路１２ｂの下流側端部に位置し、大径部２０２の下流側端部はガイド部材２２内部の流入孔２２０に収容される。小径部２０１は、その上流側端部にガイド部材側接触部２２６と接触するノズル側接触部２０４（筒体側接触部）を有し、ノズル側接触部２０４を介して大径部２０２下流側端部に一体的に設けられる。小径部２０１のノズル側接触部２０４よりも下流側は開口部２２１に収容される。
【００３０】
大径部２０２の上流側端面には開口２０２ａが形成され、その周面（側面）には、周方向に間欠的に配置された複数の貫通孔２０２ｂが形成される。また、小径部２０１には３本のジャイロビート吐水用の散水ノズル孔２０ａが設けられている。第２水路１２ｂから流入した水は、開口２０２ａ及び貫通孔２０２ｂから回転ノズル２０の内部に導かれ、散水ノズル孔２０ａから流出させることができる。すなわち、第２水路１２ｂの下流側端部及びガイド部材２２内部の流入孔２２０が、水が流入する流入室として機能する。
【００３１】
図４に示すように、ノズル側接触部２０４は凹状のアール形状の曲面であり、ガイド部材側接触部２２６は凸状のアール形状の曲面である。また、ガイド部材側接触部２２６は下流側に向けて径を拡大させる段差部２２８を有する。
【００３２】
回転ノズル２０とガイド部材２２とが互いの中心軸を一致させない状態では、ガイド部材側接触部２２６とノズル側接触部２０４とが互いに一部が接触しつつ、一部が隙間を形成する。このような構成により、第１散水室形成部材１２の第２水路１２ｂに湯水が流入すると、その水勢により、ノズル側接触部２０４の一部がガイド部材側接触部２２６に接触された状態でガイド部材２２の中心軸に対して傾きながらガイド部材２２の中心軸回りに首振り公転し、且つ自身の中心軸回りに自転する。
【００３３】
上述したように、本発明の一実施形態においては、ノズル側接触部２０４は凹状のアール形状の曲面であり、ガイド部材側接触部２２６は凸状のアール形状の曲面である。そのため、例えば、ノズル側接触部２０４が凸状のアール状の曲面でガイド部材側接触部２２６がテーパ形状の平面である場合や、ノズル側接触部２０４及びガイド部材側接触部２２６が凸状のアール状の曲面である場合等に比べて、ノズル側接触部２０４とガイド部材側接触部２２６との間の隙間の大きさを抑えることができる。従って、ノズル側接触部２０４とガイド部材側接触部２２６との間に供給される水の量が抑えられ、その水は回転ノズル２０から吐出される水に巻き込まれやすくなるため、回転ノズル２０先端の散水ノズル孔２０ａから吐出される水とは異なる方向へと水が飛散することや、開口部２２１内壁を介して散水孔４ａから水が垂れてしまうことを抑制することができる。
【００３４】
また、ノズル側接触部２０４は凸状のアール形状の曲面であり、ガイド部材側接触部２２６は凹状のアール形状の曲面である場合に比べて、ノズル側接触部２０４とガイド部材側接触部２２６との間に供給される水が、回転ノズル２０の小径部２０１に衝突することを抑えることができる。そのため、ノズル側接触部２０４とガイド部材側接触部２２６との間に供給される水が、回転ノズル２０の小径部２０１に衝突し回転ノズル２０の中心軸から離間する方向へと向かうことが抑制される。従って、ノズル側接触部２０４とガイド部材側接触部２２６との間に供給される水が、回転ノズル２０先端の散水ノズル孔２０ａから吐出される水とは異なる方向へと飛散することや、開口部２２１内壁を介して散水孔４ａから垂れてしまうことをより抑制することができる。
【００３５】
また、上述したように、本発明の一実施形態においては、ガイド部材側接触部２２６は下流側に向けて径を拡大させる段差部２２８を有する。そのため、ノズル側接触部２０４とガイド部材側接触部２２６との間から開口部２２１内に飛び出した水が、開口部２２１の内壁に着水しにくくなる。従って、ノズル側接触部２０４とガイド部材側接触部２２６との間に供給される水が、開口部２２１内壁を介して散水孔４ａから垂れてしまうことをより確実に抑制することができる。
【００３６】
上述した本発明の一実施形態においては、ノズル側接触部２０４は凹状のアール形状の曲面であり、ガイド部材側接触部２２６は凸状のアール形状の曲面であるが、本発明はこのような形態に限定されるものではない。ノズル側接触部２０４を凸状のアール形状の曲面とし、ガイド部材側接触部２２６を凹状のアール形状の曲面としてもよい。また、上述した本発明の一実施形態においては、ハンドシャワーヘッド１として構成されているが、本発明はこのような形態に限定されるものではない。例えば、本発明における吐水装置を壁面に設けられるボディシャワーとして構成してもよい。
【符号の説明】
【００３７】
１      ハンドシャワーヘッド
２      シャワーヘッド本体
２ａ    把持部
２ｂ    散水部
２ｃ    開口部
４      散水板
４ａ    散水孔
４ｂ    散水孔
４ｃ    散水孔
６      操作部
６ａ    円板部
６ｂ    指かけ凸部
６ｃ    突起
８      通水路形成部材
８ａ    接続部
８ｂ    先端部（開閉機構本体）
１０      水路切換装置
１２      第１散水室形成部材
１２ａ    第１水路
１２ｂ    第２水路
１２ｃ    第３水路
１４      第２散水室形成部材
１４ａ    凹部
１４ｂ    貫通穴
１４ｃ    貫通穴
１４ｄ    縁部
１６      第３散水室形成部材
１８      散水ノズル形成部材
１８ａ    散水ノズル
１８ｂ    散水ノズル
２０      回転ノズル
２０１    小径部
２０ａ    散水ノズル孔
２０２    大径部
２０２ａ  開口
２０２ｂ  貫通孔
２０４    ノズル側接触部
２２      ガイド部材
２２０    流入孔
２２１    開口部
２２４    フランジ部
２２６    ガイド部材側接触部
２２８    段差部
【図１】
2015144747.tif 000003
【図２】
2015144747.tif 000004
【図３】
2015144747.tif 000005
【図４】
2015144747.tif 000006